【手続補正書】
【提出日】平成27年1月29日(2015.1.29)
【手続補正１】
【補正対象書類名】明細書
【補正対象項目名】０１１８
【補正方法】変更
【補正の内容】
【０１１８】
表に記載されている試験結果から、実施例の全サンプルが各試験に合格したことが分かる。
本発明はまた、以下の項目（１）〜（２７）の内容を包含する。
（１）
光エネルギー変換器を含むフレームのない光エネルギー組立体であって、該光エネルギー変換器の縁部が接着テープによって封止され、該接着テープは、
物品の縁部と接触して用いられる、接着及び緩衝のための接着層であって、
基材層と、
任意に、前記基材層の両側に対向して位置する第１の接着剤層及び第２の接着剤層と、を含み、該第１の接着剤層は物品が接触するように用いられる、接着層と、
前記接着層の上の耐老化保護層であって、
前記接着剤層の上に位置する任意のプライマー層と、
フィルム層であって、
前記プライマー層が存在する場合には、その上、若しくは
前記プライマー層並びに前記第１及び第２の接着剤層が設けられない場合には、前
記基材層の上、又は、
前記第２の接
着剤層が存在する場合であって前記プライマー層が設けられない場合には、前記第
２の接着剤層の上、に位置するフィルム層と、を含む抗老化保護層と、
を含む、フレームのない光エネルギー組立体。
（２）
前記第２の接着剤層と前記保護層との間に位置する防水中間層を更に含む、項目１に記載のフレームのない光エネルギー組立体。
（３）
前記基材層が、発泡材料、アクリル樹脂、ポリウレタン、ポリエチレンゴム、不織布材料、又はこれらの混合物からなる群から選択される材料で作成される、項目１に記載のフレームのない光エネルギー組立体。
（４）
前記第１の接着剤層が、アクリル接着剤、ホットメルト接着剤、構造用接着剤、又はこれらの組み合わせからなる群から選択される接着剤で作成される、項目１に記載のフレームのない光エネルギー組立体。
（５）
前記任意の第２の接着剤層が、アクリル接着剤、シリコン系接着剤、ゴム系接着剤、ホットメルト接着剤、構造用接着剤、又はこれらの組み合わせからなる群から選択される接着剤で作成される、項目１に記載のフレームのない光エネルギー組立体。
（６）
前記中間層が、金属、ゴム、ポリウレタン、又はこれらの組み合わせからなる群から選択される材料で作成される、項目１に記載のフレームのない光エネルギー組立体。
（７）
前記金属が、アルミニウム、銅、又はこれらの組み合わせからなる群から選択される、項目６に記載のフレームのない光エネルギー組立体。
（８）
前記ゴムが、エチレンプロピレンターポリマー、フルオロエラストマー、ポリイソブチレン、又はこれらの混合物からなる群から選択される、項目６に記載のフレームのない光エネルギー組立体。
（９）
前記フィルム層が、ポリ塩化ビニル、ポリプロピレン、ポリエチレン、ポリテトラフルオロエチレン、ナイロン、アイオノマー、又はこれらの混合物からなる群から選択される材料で作成される、項目１に記載のフレームのない光エネルギー組立体。
（１０）
前記プライマー層が、ポリ塩化ビニル、ポリプロピレン、ポリビニル、ポリテトラフルオロエチレン、ナイロン、又は金属箔からなる群から選択される材料で作成される、項目１に記載のフレームのない光エネルギー組立体。
（１１）
前記プライマー層が、前記プライマー層の前記基材層に隣接する側に位置する第３の接着剤層を更に包含する、項目１に記載のフレームのない光エネルギー組立体。
（１２）
前記第３の接着剤層が、アクリル接着剤、ホットメルト接着剤、構造用接着剤、シリコン系接着剤、又はこれらの組み合わせからなる群から選択される接着剤で作成される、項目１１に記載のフレームのない光エネルギー組立体。
（１３）
前記フィルム層が最上層を更に含む、項目１に記載のフレームのない光エネルギー組立体。
（１４）
前記最上層が、磨耗耐性コーティング、耐候性コーティング、防水性コーティング、防汚性コーティング、又は装飾的コーティングからなる群から選択される、項目１３に記載のフレームのない光エネルギー組立体。
（１５）
前記接着層と、封止すべき前記物品との間の接着強度が、９０°剥離強度に関して１Ｎ／ｃｍを超える、項目１に記載のフレームのない光エネルギー組立体。
（１６）
前記接着層の前記接着剤層がアクリル接着剤層であり、前記接着層の前記基材層がアクリルフォームで作製される、項目１５に記載のフレームのない光エネルギー組立体。
（１７）
前記保護層及び前記接着テープが、次の耐候性能：
ＩＥＣ６１２１５に準拠した−４０℃〜＋８５℃での高温・低温サイクルを少なくとも２００サイクル、
ＩＥＣ６１２１５に準拠した−４０℃〜＋８５℃／８５％ＲＨでの湿潤凍結サイクルを少なくとも１０サイクル、及び、
ＩＥＣ６１２１５に準拠した＋８５℃／８５％ＲＨでの高温高湿老化を少なくとも１０００時間、
を有する、項目１に記載のフレームのない光エネルギー組立体。
（１８）
前記保護層がプライマー層とフィルム層とを含み、前記フィルム層が黒色ＰＶＣで作製される、項目１７に記載のフレームのない光エネルギー組立体。
（１９）
前記防水中間層及び前記接着テープが、ＩＥＣ６１２１５に準拠した−４０℃〜＋８５℃／８５％相対湿度での湿潤凍結サイクルを１０サイクル；ＩＥＣ６１２１５に準拠した＋８５℃／８５％相対湿度での高温高湿老化を１０００時間受けた後に、クリープ試験に合格することができる、項目２に記載のフレームのない光エネルギー組立体。
（２０）
前記防水中間層がアルミ箔で作成される、項目１９に記載のフレームのない光エネルギー組立体。
（２１）
前記基材層が、アクリルフォームで作成され、０．２〜２．０ｍｍの厚さを有し、前記第１の接着剤層及び前記第２の接着剤層が、アクリル接着剤で作成され、１０〜１００μｍの厚さを有し、前記防水中間層が、アルミ箔で作成され、１０〜１００μｍの厚さを有し、前記プライマー層が、プライマーコーティング剤で作成され、０．００５〜０．０５ｍｍの厚さを有し、前記フィルム層が、黒色ＰＶＣで作成され、０．１０〜２ｍｍの厚さを有し、
前記組立体の封止すべき前記物品からの９０°剥離力が１Ｎ／ｃｍを越え、加えて次の耐候性能：
ＩＥＣ６０７２１−２−１に準拠した屋外露光条件下で６０ｋＷｈ／ｍ２の総刺激量、
ＩＥＣ６１２１５に準拠した−４０℃〜＋８５℃での高温・低温サイクルを２００サイクル、
ＩＥＣ６１２１５に準拠した−４０℃〜＋８５℃／８５％相対湿度での湿潤凍結サイクルを１０サイクル、及び、
ＩＥＣ６１２１５に準拠した＋８５℃／８５％相対湿度での高温高湿老化を１０００時間、を有し、
老化の前及び後の前記組立体の前記防水性が、ＩＥＣ６１２１５に準拠した前記クリープ試験に合格することができる、項目１に記載のフレームのない光エネルギー組立体。
（２２）
前記基材層がフォーム接着剤で作成される、項目１に記載のフレームのない光エネルギー組立体。
（２３）
前記第１の接着剤層及び前記第２の接着剤層を包含しない、項目２２に記載のフレームのない光エネルギー組立体。
（２４）
光起電力パネル、薄膜光起電力パネル、光熱パネルからなる群から選択される組立体である、項目１に記載のフレームのない光エネルギー組立体。
（２５）
項目１〜２３のいずれか一項に記載の接着テープ。
（２６）
項目１〜２４のいずれか一項に記載の光エネルギー組立体を有するソーラー物品。
（２７）
ソーラーカー、ソーラー集熱器、ソーラー街路灯、又はソーラーカーテンウォールからなる群から選択される物品である、項目２６に記載の物品。
【手続補正２】
【補正対象書類名】特許請求の範囲
【補正対象項目名】全文
【補正方法】変更
【補正の内容】
【特許請求の範囲】
【請求項１】
光エネルギー変換器を含むフレームのない光エネルギー組立体であって、該光エネルギー変換器の縁部が接着テープによって封止され、該接着テープは、
物品の縁部と接触して用いられる、接着及び緩衝のための接着層であって、
基材層と、
任意に、前記基材層の両側に対向して位置する第１の接着剤層及び第２の接着剤層と、を含み、該第１の接着剤層は物品と接触するように用いられる、接着層と、
前記接着層の上の耐老化保護層であって、
前記接着剤層の上に位置する任意のプライマー層と、
フィルム層であって、
前記プライマー層が存在する場合には、その上、若しくは
前記プライマー層並びに前記第１及び第２の接着剤層が設けられない場合には、前記基材層の上、又は、
前記第２の接着剤層が存在する場合であって前記プライマー層が設けられない場合には、前記第２の接着剤層の上、に位置するフィルム層と、を含む抗老化保護層と、
を含む、フレームのない光エネルギー組立体。
【請求項２】
前記第２の接着剤層と前記保護層との間に位置する防水中間層を更に含む、請求項１に記載のフレームのない光エネルギー組立体。
【請求項３】
前記基材層が、発泡材料、アクリル樹脂、ポリウレタン、ポリエチレンゴム、不織布材料、又はこれらの混合物からなる群から選択される材料で作成される、請求項１に記載のフレームのない光エネルギー組立体。
【請求項４】
前記第１の接着剤層が、アクリル接着剤、ホットメルト接着剤、構造用接着剤、又はこれらの組み合わせからなる群から選択される接着剤で作成される、請求項１に記載のフレームのない光エネルギー組立体。
【請求項５】
前記任意の第２の接着剤層が、アクリル接着剤、シリコン系接着剤、ゴム系接着剤、ホットメルト接着剤、構造用接着剤、又はこれらの組み合わせからなる群から選択される接着剤で作成される、請求項１に記載のフレームのない光エネルギー組立体。
【請求項６】
前記フィルム層が、ポリ塩化ビニル、ポリプロピレン、ポリエチレン、ポリテトラフルオロエチレン、ナイロン、アイオノマー、又はこれらの混合物からなる群から選択される材料で作成される、請求項１に記載のフレームのない光エネルギー組立体。
【請求項７】
前記プライマー層が、ポリ塩化ビニル、ポリプロピレン、ポリビニル、ポリテトラフルオロエチレン、ナイロン、又は金属箔からなる群から選択される材料で作成される、請求項１に記載のフレームのない光エネルギー組立体。